(57)【特許請求の範囲】
【請求項１】
メータと止水栓と逆止弁とが、ベースの長手方向に沿って該ベースに取り付けられ、前記ベースの長手方向の両端部に前記長手方向に延びる取付け部が設けられているメータユニット用の保温カバーにおいて、内部に前記メータユニットを収受可能なスペースを備えたカバー本体と、前記メータの表示部を覆い、開閉可能なメータ部蓋と、前記止水栓の操作ハンドルを覆い、開閉可能な止水栓部蓋とを含んでなり、前記カバー本体には、前記ベースの前記取付け部が該カバー本体の内部から外部へ挿通される取付け部挿通孔と、前記止水栓と前記逆止弁にそれぞれ接続される配管の端部が挿通可能な配管挿通孔とを備えたことを特徴とする、メータユニット用の保温カバー。
【請求項２】
請求項１に記載のメータユニット用の保温カバーにおいて、前記カバー本体は、前記ベースの長手方向に沿って左右に分割された２つの半部分により構成されていることを特徴とする、メータユニット用の保温カバー。
【請求項３】
請求項２に記載のメータユニット用の保温カバーにおいて、前記取付け部挿通孔は、前記２つの半部分にそれぞれ部分的に形成され、前記２つの半部分が組み合わされることにより前記取付け部挿通孔が画成されることを特徴とする、メータユニット用の保温カバー。
【請求項４】
請求項２又は３に記載のメータユニット用の保温カバーにおいて、前記配管挿通孔少なくとも一方は、前記２つの半部分にそれぞれ部分的に形成され、前記２つの半部分が組み合わされることにより前記少なくとも一方の配管挿通孔が画成されることを特徴とする、メータユニット用の保温カバー。
【請求項５】
請求項１から４のいずれか１に記載のメータユニット用の保温カバーにおいて、前記カバー本体には、前記メータユニットと前記カバー本体との相対位置を位置決めする位置決め部材が設けられていることを特徴とする、メータユニット用の保温カバー。
【請求項６】
請求項５に記載のメータユニット用の保温カバーにおいて、前記メータユニットの前記ベースは、底面と、前記底面から所定の高さに設けられた前記止水栓と逆止弁とがそれぞれその上に載置される止水栓載置部と逆止弁載置部と、前記メータがその上方に位置することとなる、前記止水栓載置部と逆止弁載置部との間に前記ベースの長手方向所定の範囲で形成された凹部とを備え、前記カバー本体は前記ベースの長手方向に伸びる側壁部を備え、前記位置決め部材は、前記側壁部の内側面から内方へ広がる、前記ベースの長手方向及びそれに直交する方向でそれぞれ所定の長さに形成された張出し部により構成され、前記張出し部が前記凹所に入ることにより前記メータユニットと前記カバー本体とは相互に位置決めされることを特徴とする、メータユニット用の保温カバー。
【請求項７】
請求項６に記載のメータユニット用の保温カバーにおいて、前記カバー本体はそれぞれ前記ベースの長手方向に沿って左右に分割され、それぞれ前記ベースの長手方向に伸びる左右側壁部を備えた２つの半部分により構成され、前記張出し部は、前記左右の側壁部の内壁面から互いに向かって内方へ延びている左右の張出し部により構成されることを特徴とする、メータユニット用の保温カバー。
【請求項８】
請求項２記載のメータユニット用の保温カバーにおいて、さらに前記二つの半部分を一体化した状態に維持する面状ファスナーを備えていることを特徴とする、メータユニット用の保温カバー。
【請求項９】
請求項１から８のいずれか１に記載のメータユニット用の保温カバーにおいて、前記保温カバーは発泡ポリエチレンで作られていることを特徴とする、メータユニット用の保温カバー。
【発明の詳細な説明】
【０００１】
【発明の属する技術分野】
本発明は、水道に使用するメータユニット用のカバーに関し、さらに詳細には、例えば集合住宅のパイプシャフト等に設置されるメータユニット用の保温カバーに関する。
【０００２】
【従来の技術】
水道用機器としてメータ、止水栓、或いは逆止弁等が設置される。一戸建ての場合にはこれらの機器は通常敷地内の適当な箇所に埋設されるが、高層の集合住宅の場合、例えば階段の踊り場の側壁部に通称パイプシャフトと称されるスペースが設けられ、そこに例えばガスメータ等と一緒に配置される。
【０００３】
しかし、このパイプシャフトはスペースが狭く、そのため個別のメータ、止水栓、逆止弁等を持ち込み、その場で設置済の配管に芯合わせをしながら接続する作業は困難を究める。そこで本願出願人は、特開平９−２８０９１９等でメータユニットを提案した。すなわち、メータや止水栓等バルブ類をベースを用いて一体化してしまい、その状態でパイプシャフト内に配置しようとするものである。メータは後日の交換を考慮して、容易に着脱できる構成となっている。
【０００４】
ところで、このパイプシャフト自体には通常何らの保温処置はとられていない。従って、寒冷地等では特に冬期の夜間には温度の低下により、メータ或いはバルブ内の水が凍結する可能性がある。
【０００５】
【発明が解決しようとする課題】
本願発明は、上記問題点に鑑みなされたものであり、保温性に優れ、取付けが容易に行えるメータユニット用保温カバーを提供することをその課題とする。
【０００６】
【課題を解決するための手段】
上記課題を解決するために、本願発明はメータと止水栓と逆止弁とが、ベースの長手方向に沿って該ベースに取り付けられ、そのベースの長手方向の両端部に長手方向に延びる取付け部が設けられているメータユニット用の保温カバーを提供し、その保温カバーは、内部にメータユニットを収受可能なスペースを備えたカバー本体と、メータの表示部を覆い、開閉可能なメータ部蓋と、止水栓の操作ハンドルを覆い、開閉可能な止水栓部蓋とを含んでなる。そして、そのカバー本体には、ベースの取付け部が該カバー本体の内部から外部へ挿通される取付け部挿通孔と、止水栓と逆止弁にそれぞれ接続される配管の端部が挿通可能な配管挿通孔とが設けられている。
【０００７】
【発明の実施の形態】
以下、図面に基づき本願発明の具体的実施の形態を説明するが、本願発明の範囲は以下に説明される実施の形態に限定されるものではない。
【０００８】
図１は、メータユニットの一例を示す側面図、図２はその平面図である。図において、メータユニット１は、メータ３と、止水栓５と、逆止弁７とをベース９に取付け、ユニット化したものである。すなわち、ベース９は剛性のある金属製の部材であり、図において左右長手方向に延びて形成されている。そして平らな底面１０に平行に、上面側に止水栓載置部１１と逆止弁載置部１２とが形成され、ここにそれぞれ止水栓５と逆止弁７とがボルト等適宜な手段で載置、固定されている。
【０００９】
メータ３は、着脱装置１７を用いて止水栓５と逆止弁７とに取り付けられる。すなわち、着脱装置１７はベース９の上面側の着脱装置載置部１３に載置、固定され、ハンドル１８によって止水栓５に連結されたロックナット１９を回転させ、それによりスライドホルダ２０を図１において右側へ移動させ、メータ３を逆止弁７に押しつけ、固定する。これによりメータユニット１が構成される。メータ３の下側においてベース９の上面はメータ３に干渉しないように窪み１４が形成されている。また、ベース９の長手方向両側端部においてその下面側には、長手方向に延びる延長部９ａ、ｂが設けられ、そこには図２に示されるように切欠き１５ａ、１５ｂが形成され、この部分を用いてメータユニット１は、パイプシャフトの床面等に設けられたアンカーボルトに取り付けられる。止水栓５の上流側連結部５ａには上流側配管（図示せず）が、逆止弁７の下流側連結部７ａには下流側配管（図示せず）がそれぞれ連結される。以上の構成については、前記した特開平９−２８０９１９に詳細に説明されているので、これ以上の説明はここでは省略する。
【００１０】
図３は本願発明の一実施の形態に係るメータユニット用保温カバー３１の斜視図であり、図４は同じ方向から見た場合の分解斜視図であり、図５は反対側から見た場合の分解斜視図である。図３において左側部分は止水栓５が格納される部分であり、右側部分は逆止弁７が格納される部分、中央部分がメータ３が格納される部分である。本実施の形態では、止水栓５側が上流側或いは一次側であるので、止水栓５の格納される側を保温カバー３１の前側とし、左右上下は前側から見て定めることとする。保温カバー３１はカバー本体３２と、後述のメータ部蓋と、止水栓部蓋とを備えている。
【００１１】
カバー本体３２は、左右側壁３５、３６と、前後側壁３７、３８と、上下側壁３９、４０とを備えている。そしてカバー本体３２は、左右二つの半部分３３、３４から構成されている。すなわち、左半部分３３は、左側壁３５と、前後側壁３７、３８の左側部分３７ａ、３８ａと、上下側壁３９、４０の左側部分３９ａ、４０ａとを備え、右半部分３４は、右側壁３６と、前後側壁３７、３８の右側部分３７ｂ、３８ｂと、上下側壁３９、４０の右側部分３９ｂ、４０ｂとを備えている。この左右の半部分３３、３４が組み合わされて、カバー本体３２の内部にメータユニット１を格納するスペースを画成する。
【００１２】
下壁４０の左側部分４０ａと右側部分４０ｂとはその当接部が互いに補完し合う段状の形状になっており、この部分が組み合わされて下壁４０を構成する（以後、組合わさってカバー本体３２の同じ部分を形成する、左半部分３３、右半部分３４にそれぞれ属する部分を、図面中に同じ数字にａ、ｂを付して示す）。下壁４０の左右部分４０ａ、ｂの内側面４１ａ、ｂにより形成される下壁内側面４１には、メータユニット１のベース９の底面１０が載り、下壁４０の少し上側の位置で張り出して形成された張出部４２の下側面に、ベース９の窪み１４の上面が当たり、窪み１４の前後の傾斜部１４ａ、ｂがそれぞれ張出部４２の前後端部４３、４４に近接して位置することにより、メータユニット１は大略位置決めされる。
【００１３】
張出部４２の上方に画成されるスペースは、メータを格納するためのメータ格納スペース４５であり、このスペース４５の上部は開いており、後述のメータ部蓋が開閉可能に取り付けられる。
【００１４】
メータ格納スペース４５の手前側には止水栓格納スペース４６が画成されている。このスペース４６は、前側壁３７から後方へ張出部４２の前端４３近くまで、張出部４２より上の位置に形成された仕切り壁４７により上下に仕切られている。仕切り壁４７には上下に通じる孔４８が形成されており、この孔４８に止水栓５のハンドル５ｄの軸部が挿入される首部５ｃが位置し、止水栓本体部５ｂは仕切り壁４７により仕切られた止水栓格納スペース４６の下部スペース４９に位置し、ハンドルは５ｄは上部スペース５０に位置することとなる。そして前壁３７には、止水栓５の上流側連結部５ａに結合される上流側配管（図示せず）の端部が挿通される配管挿通孔５１が形成されている。さらにその配管挿通孔５１の下方には、ベース９の延長部９ａが挿通される角形の取付け部挿通孔５２が、その下側縁部が下壁４０の内側面４１の同一面となって形成されている。図から明らかなとおり、配管挿通孔５１と取付け部挿通孔５２はそれぞれ左右半部分３３、３４に部分的に形成され、左右半部分３３、３４が一体になることによりこれらの孔５１、５２が画成される。また、仕切り壁４７に形成される孔４８も同様であるが、仕切り壁４７は必須のものではなく、止水栓本体部５ｂとハンドル５ｄを収納するスペースは一つのスペースとして画成されてもよい。
【００１５】
メータ格納スペース４５の後側には、逆止弁格納スペース５５が画成されている。逆止弁格納スペースの上側には、後側壁３８から張出部４２の後端４４近くまで、張出部４２より上の位置に仕切り壁５６が形成され、その上側に後述のメータ部蓋が取り付けられる取付け部５７を画成している。取付け部５７の左右側壁３５、３６の内側面には、メータ部蓋の軸部が嵌まる左右の軸孔５８、５９が形成されている。また、後側壁３８には、仕切り壁５６より下の位置で逆止弁格納スペース５５に通じる、逆止弁７の下流側連結部７ａに接続される配管（図示せず）が挿通される配管挿通孔６０が形成され、さらにその下側には、前述の取付け部挿通孔５２と対をなす、ベースのもう一方の延長部９ｂが挿通される取付け部挿通孔６１が形成されている。図から明らかなとおり、配管挿通孔６０と取付け部挿通孔６１はそれぞれ左右半部分３３、３４に部分的に形成され、左右半部分３３、３４が一体になることによりこれらの孔６０、６１が画成される。
【００１６】
なお、前述の止水栓格納スペース４６に形成された仕切り壁４７の、張出部４２側の端部付近の上側に、後述の止水栓部蓋を取り付けるためのスペースが画成され、、左右側壁３５、３６の内側面に、止水栓部蓋の軸部が嵌まる左右の軸孔６２、６３が形成されている。
【００１７】
符号７１はメータ部蓋であり、蓋本体部７２と、蓋本体部７２の一端側に形成された軸部７３とを備えている。軸部７３の両端部がそれぞれ前述の逆止弁格納スペース５５の上側で左右側壁に３５、３６に形成された軸孔５８、５９に嵌まり、カバー本体３２に回動可能にとりつけられ、メータ格納スペース４５の上方の開口部を開閉する。
【００１８】
符号７５は止水栓部蓋であり、蓋本体部７６と、蓋本体部７６の一端側に形成された軸部７７とを備えている。軸部７７の両端部がそれぞれ前述の左右側壁３５、３６に形成された軸孔６２、６３に嵌まり、カバー本体３２に対して回動可能となっており、止水栓格納スペース４６の上部スペース５０の上側の開口部を開閉する。
【００１９】
符号８１、８２は、面状ファスナーであり、それぞれ左右半部分３３、３４の前側壁部３７ａ、ｂの後側壁部３８ａ、ｂの外側面に、配管挿通孔５１、６０の上側で貼付された面状ファスナー（図示せず）に結合して、左右半部分３３、３４を一体化した状態に維持する。
【００２０】
図６及び図７は、メータユニット１に一次側及び二次側の配管を接続し、この状態でメータユニット１に保温カバー３１を取り付ける作業を示す側面図、及び平面図である。なお、図６においては保温カバー３１の右半部分３４の図示を省略し、図７においてはメータ部蓋７１と止水栓部蓋７５の図示を省略してある。なお、上述のカバー本体３２、メータ部蓋７１、止水栓部蓋７５は発泡ポリエチレンで成形されている。
【００２１】
取付けの手順としては、先ずメータユニット１を、パイプシャフトの例えば床に立設されたアンカーボルト９１、９２をベース９の切欠き１５ａ、ｂに通し、ナット９３、９４、９５、９６を用いて仮留めする。そして一次側と二次側の配管９７、９８をそれぞれ止水栓５の上流側連結部５ａと逆止弁７の下流側連結部７ａに接続する。接続後、メータユニット１をアンカーボルト９１、９２に本固定する。なお、図６において紙面手前側がパイプシャフトの扉側である。
【００２２】
次に保温カバー３１の左半部分３３を、メータユニット１に取り付ける。その際、前述のとおりベース９の底面１０をカバーの左半部分３３の下側壁４０ａの内側面４１ａに載せ、ベース９の窪み１４に張出部４２ａを位置させてメータユニット１と左半部分３３との位置合わせを行う。その際、一次側及び二次側の配管９７、９８の連結端部は配管挿通孔５１ａ、６０ａ内に位置する。また、ベース９の延長部９ａ、９ｂもそれぞれ取付け部挿通孔５２ａ、６１ａを通ってカバー３１の外側へ延びており、アンカーボルト９１、９２はカバー３１の外側に位置する。
【００２３】
次いで、図６に示すようにメータ部蓋７１と止水栓部蓋７５のそれぞれの軸部７３、７７の一端側をそれぞれ対応する軸孔５８、６２に嵌めて取り付ける。次にカバー本体３２の右半部分３４を、図７に示す方向から取り付ける。最後に面状ファスナー８１、８２で固定する。
【００２４】
図８乃至図１４を参照して本発明の第２の実施の形態について説明する。図８及び図９は第２の実施の形態が適用されるメータユニット１０１である。このメータユニット１０１は、第１の実施の形態が適用されるメータユニット１と止水栓１０５が異なるのみで、他の構成に付いては同じでよいので、同じ部材には第同じ番号を付し、その詳細な説明は省略する。
【００２５】
メータユニット１０１は、ベース９に、上流側から順に止水栓１０５、メータ３、逆止弁７を取り付けて構成されている。止水栓１０５はベース９の止水栓載置部１１に、逆止弁７は逆止弁載置部１２に取り付けられ、メータ３は、着脱装置載置部１３に載置された着脱装置１７を操作することにより、取り外し可能に下り付けられる。
【００２６】
このメータユニット１０１に使用する止水栓１０５は、第１の実施の形態で説明した止水栓５と、若干構成が異なる。すなわち、この止水栓１０５においては、その上流側連結部１０５ａは本体１０５ｂの上部に設けられ、ハンドル１０５ｄは、本体１０５ｂの右側に設けられた首部１０５ｃに取り付けられている。なお、首部１０５ｃは図９に示されるように、本体１０５ｂの左側にも設けられており、ハンドル１０５ｄは、必要に応じて左右いずれの首部にも取り付けることが出来る。メータユニット１０１の他の部分の構成は、図１及び２に示した本発明の第１の実施の形態が適用されるメータユニット１と同じで差し支えない。
【００２７】
図１０ないし図１４は、それぞれ第二の実施の形態に係る保温カバー１３１を示す図で、それぞれ第１の実施の形態を示す図３乃至７に対応する図である。この保温カバー１３１の第１の実施の形態と異なる点は、適用されるメータユニットの構成の相違に対応する部分のみである。従って共通の部分には同じ番号を付し、その詳細な説明は省略する。
【００２８】
この保温カバー１３１はカバー本体１３２と、メータ部蓋７１と、二つの止水栓部蓋１７５、１７６を備えている。
【００２９】
カバー本体１３２は、左右側壁１３５、１３６と、前後側壁１３７、１３８と、上下側壁１３９、１４０とを備えている。そしてカバー本体１３２は、左右二つの半部分１３３、１３４から構成されている。左半部分１３３は、左側壁１３５と、前後側壁１３７、１３８の左側部分１３７ａ、１３８ａと、上下側壁１３９、１４０の左側部分１３９ａ、１４０ａとを備え、右半部分１３４は、右側壁３６と、前後側壁１３７、１３８の右側部分１３７ｂ、１３８ｂと、上下側壁１３９、１４０の右側部分１３９ｂ、１４０ｂとを備えている。この左右の半部分１３３、１３４が組み合わされて、カバー本体１３２の内部にメータユニット１０１を格納するスペースを画成する。
【００３０】
下壁１４０の左側部分１４０ａと右側部分１４０ｂとはその当接部が互いに補完し合う段状の形状になっており、この部分が組み合わされて下壁１４０を構成する。符号４１は下壁１４０の内側面、符号４２は張出部４２であり、第１の実施の形態で説明したのと同様に、メータユニット１０１が大略位置決めされる。張出部４２の上方にメータ３を格納するためのメータ格納スペース４５が画成される。
【００３１】
メータ格納スペース４５の手前側には止水栓格納スペース１４６が画成されている。このスペース１４６は、第１の実施の形態と異なり、上下に仕切られてはいない。そして上壁１３９には上流側配管の端部が挿通される配管挿通孔１５１が貫通して形成され、一方、左右側壁１３５、１３６には止水栓１０５の首部１０５ｃが挿通される孔１７７、１７８が形成され、その外側には前述の蓋１７５、１７６が取り付けられる筒部１７９、１８０が形成されている。符号５２はベース９の延長部９ａが挿通される角形の取付け部挿通孔である。
【００３２】
メータ格納スペース４５の後側には、逆止弁格納スペース５５が画成されている。この逆止弁格納スペース５５の構成は、第１の実施の形態でのそれと同じであり、仕切り壁５６により、その上側にメータ部蓋７１が取り付けられる取付け部５７が画成されている。符号５８、５９は左右の軸孔、符号６０は配管挿通孔、符号６１はベースのもう一方の延長部９ｂが挿通される取付け部挿通孔である。
【００３３】
符号７１はメータ部蓋であり、第１の実施例と同じ形状で、同じようにして取り付けられる。符号１７５、１７６は前述のとおり止水栓部蓋であり、それぞれ対応する筒部１７９、１８０に着脱自在に取り付けられる。符号８１、８２は、面状ファスナーである。
【００３４】
図１３及び１４は、メータユニット１０１に一次側及び二次側の配管を接続し、この状態でメータユニット１０１に保温カバー１３１を取り付ける作業を示す側面図、及び平面図である。これについては第６図及び第７図を参照しての第１の実施の形態の説明から明らかであるので、説明は省略する。
【００３５】
【発明の効果】
以上詳述したとおり、本発明に係る保温カバーによれば、メータユニットを構成するメータ、止水栓、逆止弁等を覆い、内部の水の凍結によるトラブルを防止することが可能となる。このカバーには、配管挿通孔、ベースの取付け部挿通孔が形成されており、しかも分離可能な左右二つの半部分から本体が構成されているので、メータユニットを配管及びアンカーボルト等の支持部材に取り付けた状態でこの保温カバーをメータユニットに取り付けることが出来るので、きわめて好都合である。また、発泡ポリエチレンで作られているので、製造も容易であり、保温性にも優れている。
【図面の簡単な説明】
【図１】本発明の第１の実施の形態に係る保温カバーが適用されるメータユニットの側面図である。
【図２】メータユニットの平面図である。
【図３】本発明の第１の実施の形態に係る保温カバーの斜視図である。
【図４】保温カバーの分解斜視図である。
【図５】他の方向から見た保温カバーの分解斜視図である。
【図６】保温カバーのメータユニットへの取り付け方を説明する側面図である。
【図７】保温カバーのメータユニットへの取り付け方を説明する平面図である。
【図８】本発明の第２の実施の形態に係る保温カバーが適用されるメータユニットの側面図である。
【図９】メータユニットの平面図である。
【図１０】本発明の第２の実施の形態に係る保温カバーの斜視図である。
【図１１】保温カバーの分解斜視図である。
【図１２】他の方向から見た保温カバーの分解斜視図である。
【図１３】保温カバーのメータユニットへの取り付け方を説明する側面図である。
【図１４】保温カバーのメータユニットへの取り付け方を説明する平面図である。
【符号の説明】
１  メータユニット
３  メータ
５  止水栓
７  逆止弁
９  ベース
９ａ、９ｂ  取付け部
３１  保温カバー
３２  カバー本体
３３  左半部分
３４  右半部分
３５  左側板
３６  右側板
３７  前側板
３８  後側板
３９  上側板
４０  下側板
４５  メータ格納スペース
４６  止水栓格納スペース
５１、６０  配管挿通孔
５２、６１  取付け部挿通孔
５５  逆止弁格納スペース
７１  メータ部蓋
７５  止水栓部蓋
【図１】
0003656024.tif 000002
【図２】
0003656024.tif 000003
【図３】
0003656024.tif 000004
【図４】
0003656024.tif 000005
【図５】
0003656024.tif 000006
【図６】
0003656024.tif 000007
【図７】
0003656024.tif 000008
【図８】
0003656024.tif 000009
【図９】
0003656024.tif 000010
【図１０】
0003656024.tif 000011
【図１１】
0003656024.tif 000012
【図１２】
0003656024.tif 000013
【図１３】
0003656024.tif 000014
【図１４】
0003656024.tif 000015